(57)【要約】【課題】  接続対象物の着脱を容易にした接続部材を提供すること。【解決手段】  回転軸１を有するスライダー２と、スライダーに組み合わされたコンタクト３とを有する。コンタクトは、接続対象物４と接続する接触部５、接触部に接続された押圧部６を有する。スライダーを回転軸を中心に回転させることで押圧部を押圧し、これにより接触部を動かして接続対象物に接続させる。スライダーを直線的又は曲線的に移動させることで押圧部を押圧するように構成されてもよい。また、スライダーが押圧部６を押圧することより、接触部を接続対象物から離す向きに移動させるように構成されてもよい。【選択図】      図１
2008034330.tif 000002
【特許請求の範囲】
【請求項１】
接続対象物と接続する接続部材であって、前記接続対象物に接触するための接触部及び前記接触部の近傍の押圧部を有するコンタクトと、前記コンタクトに対し移動可能なスライダーとを含み、前記スライダーは、その移動に応じて前記押圧部を操作し、これにより前記接触部を変位させるものであることを特徴とする接続部材。
【請求項２】
さらに、前記コンタクトを保持するハウジングを含み、前記スライダーは、前記ハウジング及び前記コンタクトのうち少なくとも一方に保持されている、請求項１に記載の接続部材。
【請求項３】
前記コンタクトは、さらに、前記接続対象物とは異なる接続対象物に接続するための端子部を有する、請求項１又は２に記載の接続部材。
【請求項４】
リード線を有したランプ管を接続するコネクタであって、前記リード線に接触するための接触部及び前記接触部の近傍の押圧部を有するコンタクトと、前記コンタクトに対し移動可能なスライダーとを含み、前記スライダーは、その移動に応じて前記押圧部を操作して前記接触部を変位させるものであることを特徴とするコネクタ。
【請求項５】
前記コンタクトは、さらに、前記スライダーを受けたスライダー受部を有し、前記スライダーは前記スライダー受部に回転可能に支持されている、請求項４に記載のコネクタ。
【請求項６】
前記コンタクトは、さらに、前記スライダーを受けたスライダー受部を有し、前記スライダーは、前記スライダー受部にスライド可能に支持されている、請求項４に記載のコネクタ。
【請求項７】
前記コンタクトは、さらに、基板に接続するための基板接続部と、前記スライダー受部及び前記基板接続部の間に介在した可撓性を有するつなぎ部を有する、請求項５又は６に記載のコネクタ。
【請求項８】
さらに、前記接触部、前記押圧部、及び前記スライダーを、前記つなぎ部の撓みを伴って所定方向にスライド可能なように収容したハウジングを含む、請求項７に記載のコネクタ。
【請求項９】
さらに、前記接触部、前記押圧部、及び前記スライダーを収容したハウジングを含み、前記スライダーは前記ハウジングに回転可能に支持されている、請求項４に記載のコネクタ。
【請求項１０】
さらに、前記接触部、前記押圧部、及び前記スライダーを収容したハウジングを含み、前記スライダーは前記ハウジングにスライド可能に支持されている、請求項４に記載のコネクタ。
【請求項１１】
前記コンタクトは、さらに、前記ハウジングに保持された保持部と、基板に接続するための基板接続部と、前記保持部及び前記基板接続部の間に介在した可撓性を有するつなぎ部を含む、請求項９又は１０に記載のコネクタ。
【請求項１２】
前記コンタクトは、さらに、基板に接続するための基板接続部と、前記押圧部及び前記基板接続部の間に介在した可撓性を有するつなぎ部と、前記基板接続部に固定的に接続され、前記スライダーを受けたスライダー受部とを有する、請求項４に記載のコネクタ。
【請求項１３】
さらに、前記スライダーの移動をガイドするガイド機構を含む、請求項４−１２のいずれかに記載のコネクタ。
【請求項１４】
リード線を有したランプ管を接続するコネクタであって、前記リード線に接触するための接触部を有するコンタクトを含み、前記コンタクトは、さらに、基板に接続するための基板接続部と、前記基板接続部及び前記接触部の間に介在した可撓性を有するつなぎ部とを有し、前記つなぎ部によって前記基板接続部に対し前記接触部にフローティング性をもたせたことを特徴とするコネクタ。
【請求項１５】
さらに、前記コンタクトに対し移動可能なスライダーを含み、前記コンタクトはさらに前記接触部の近傍に押圧部を有し、前記スライダーは、その移動に応じて前記押圧部を操作して前記接触部を変位させる、請求項１４に記載のコネクタ。
【請求項１６】
前記コンタクトは、さらに、前記スライダーを受けたスライダー受部を有し、前記スライダーは前記スライダー受部に回転可能に支持されている、請求項１５に記載のコネクタ。
【請求項１７】
前記コンタクトは、さらに、前記スライダーを受けたスライダー受部を有し、前記スライダーは、前記スライダー受部にスライド可能に支持されている、請求項１５に記載のコネクタ。
【請求項１８】
さらに、前記接触部、前記押圧部、及び前記スライダーを、前記つなぎ部の撓みを伴って所定方向にスライド可能なように収容したハウジングを含む、請求項１６又は１７に記載のコネクタ。
【請求項１９】
さらに、前記接触部、前記押圧部、及び前記スライダーを収容したハウジングを含み、前記スライダーは前記ハウジングに回転可能に支持されている、請求項１５に記載のコネクタ。
【請求項２０】
さらに、前記接触部、前記押圧部、及び前記スライダーを収容したハウジングを含み、前記スライダーは前記ハウジングにスライド可能に支持されている、請求項１７に記載のコネクタ。
【請求項２１】
前記コンタクトは、さらに、基板に接続するための基板接続部と、前記押圧部及び前記基板接続部の間に介在した可撓性を有するつなぎ部と、前記基板接続部に固定的に接続され、前記スライダーを受けたスライダー受部とを有する、請求項１４に記載のコネクタ。
【請求項２２】
さらに、前記スライダーの移動をガイドするガイド機構を含む、請求項１３−２１のいずれかに記載のコネクタ。
【発明の詳細な説明】
【技術分野】
【０００１】
本発明は、大型液晶のバックライトモジュールに関し、特に冷陰極管等の蛍光ランプ管を用いた直下型ランプソケットのようなランプ管用コネクタに関するものである。
【背景技術】
【０００２】
従来、大型液晶のバックライトの光源には、CCFLやEEFLのような細径ランプ管が使用されている。液晶ガラスに対し背面から直接ランプ管の光を照射する方式は直下型と呼ばれ、光の利用効率がよく、モニターやテレビジョン等の高輝度を必要とする液晶ディスプレイのバックライトには最適である。
【０００３】
従来の直下型バックライト組立体には、幾つかの方式がある。
【０００４】
まず方式の一つでは、バックライトのシャーシーと呼ばれる金属筐体上に複数本のランプ管が間隔をおいて配設されている。各ランプ管の電極部である両端のリード線にはそれぞれ電線の一端が半田接続されている。電線が半田接続されたランプ管電極部の一端は、ゴム部材によって被覆されている。ゴム部材より引き出された電線の他端に圧着された端子は、コネクタハウジング内に収納され、シャーシーの裏面に配置されたインバータ基板上に実装されたコネクタに接続される。こうして、コネクタ及び電線を通してランプ管に電力が供給される。
【０００５】
また、別方式では、インシュレータ、端子、スライダー部材からなるコネクタがインバータ基板上に実装されている。コネクタはシャーシーを貫通してランプ管実装面へ伸び、ランプ管電極部をコネクタの端子で直接接続している。この方式は、ランプ管をコネクタの端子部に組み込んだ後、スライダー部材を操作することでランプ管リード線とコンタクトとを接続する。接続されたのち、リード線部は比較的強固に固定される。
【０００６】
しかし、従来の直下型バックライト組立体には以下の欠点があった。
【０００７】
まず、電線を介してランプ管に電力を供給する方式は、ランプ管をゴム部材、ケーブル及びコネクタを介してインバータ基板と接続する為、使用部品点数が多く、また、作業工程も多く、更に蛍光管を交換する際に他の部品も交換せざるを得ない為、コストが高価である。更に電線を半田付けしたランプ管は、取扱いにおいて破損を生じやすい。
【０００８】
また、インバータ基板上にコネクタを実装し、ランプ管を直接接続する方式は、部材削減、ランプ管の着脱性が容易であるが、ランプ管とコネクタとの組み立て時の位置ズレにより接触時に発生するストレス、搬送中若しくは液晶組立体使用上に印加される振動又は衝撃のストレス、またランプ管自身の発熱によるランプ管の熱収縮によるストレス等が発生する。これらのストレスはランプ管リード線又はリード線封止部に集中し、ランプ管の破損、若しくはランプ管寿命を短くしてしまう懸念がある。
【０００９】
【特許文献１】特開２００２−３６７４２２号公報
【特許文献２】特開２００３−２５７５７０号公報
【発明の開示】
【発明が解決しようとする課題】
【００１０】
それ故に本発明の課題は、接続対象物の取扱い性を改善すると共に、それの着脱を容易にした接続部材を提供することにある。
【００１１】
本発明の他の課題は、ランプ管の取扱い性を改善すると共に、ランプ管の着脱を容易にしたランプ管用コネクタを提供することにある。
【課題を解決するための手段】
【００１２】
本発明の一態様によれば、接続対象物と接続する接続部材であって、前記接続対象物に接触するための接触部及び前記接触部の近傍の押圧部を有するコンタクトと、前記コンタクトに対し移動可能なスライダーとを含み、前記スライダーは、その移動に応じて前記押圧部を操作し、これにより前記接触部を変位させるものであることを特徴とする接続部材が得られる。
【００１３】
さらに、前記コンタクトを保持するハウジングを含み、前記スライダーは、前記ハウジング及び前記コンタクトのうち少なくとも一方に保持されてもよい。
【００１４】
前記コンタクトは、さらに、前記接続対象物とは異なる接続対象物に接続するための端子部を有してもよい。
【００１５】
本発明の他の態様によれば、リード線を有したランプ管を接続するコネクタであって、前記リード線に接触するための接触部及び前記接触部の近傍の押圧部を有するコンタクトと、前記コンタクトに対し移動可能なスライダーとを含み、前記スライダーは、その移動に応じて前記押圧部を操作して前記接触部を変位させるものであることを特徴とするコネクタが得られる。
【００１６】
前記コンタクトは、さらに、前記スライダーを受けたスライダー受部を有し、前記スライダーは前記スライダー受部に回転可能に支持されてもよい。
【００１７】
前記コンタクトは、さらに、前記スライダーを受けたスライダー受部を有し、前記スライダーは、前記スライダー受部にスライド可能に支持されてもよい。
【００１８】
前記コンタクトは、さらに、基板に接続するための基板接続部と、前記スライダー受部及び前記基板接続部の間に介在した可撓性を有するつなぎ部を有してもよい。
【００１９】
さらに、前記接触部、前記押圧部、及び前記スライダーを、前記つなぎ部の撓みを伴って所定方向にスライド可能なように収容したハウジングを含んでもよい。
【００２０】
さらに、前記接触部、前記押圧部、及び前記スライダーを収容したハウジングを含み、前記スライダーは前記ハウジングに回転可能に支持されてもよい。
【００２１】
さらに、前記接触部、前記押圧部、及び前記スライダーを収容したハウジングを含み、前記スライダーは前記ハウジングにスライド可能に支持されてもよい。
【００２２】
前記コンタクトは、さらに、前記ハウジングに保持された保持部と、基板に接続するための基板接続部と、前記保持部及び前記基板接続部の間に介在した可撓性を有するつなぎ部を含んでもよい。
【００２３】
前記コンタクトは、さらに、基板に接続するための基板接続部と、前記押圧部及び前記基板接続部の間に介在した可撓性を有するつなぎ部と、前記基板接続部に固定的に接続され、前記スライダーを受けたスライダー受部とを有してもよい。
【００２４】
さらに、前記スライダーの移動をガイドするガイド機構を含んでもよい。
【００２５】
本発明のさらに他の態様によれば、リード線を有したランプ管を接続するコネクタであって、前記リード線に接触するための接触部を有するコンタクトを含み、前記コンタクトは、さらに、基板に接続するための基板接続部と、前記基板接続部及び前記接触部の間に介在した可撓性を有するつなぎ部とを含み、前記つなぎ部によって前記基板接続部に対し前記接触部にフローティング性をもたせたことを特徴とするコネクタが得られる。
【００２６】
さらに、前記コンタクトに対し移動可能なスライダーを含み、前記コンタクトはさらに前記接触部の近傍に押圧部を有し、前記スライダーは、その移動に応じて前記押圧部を操作して前記接触部を変位させてもよい。
【００２７】
前記コンタクトは、さらに、前記スライダーを受けたスライダー受部を有し、前記スライダーは前記スライダー受部に回転可能に支持されてもよい。
【００２８】
前記コンタクトは、さらに、前記スライダーを受けたスライダー受部を有し、前記スライダーは、前記スライダー受部にスライド可能に支持されてもよい。
【００２９】
さらに、前記接触部、前記押圧部、及び前記スライダーを、前記つなぎ部の撓みを伴って所定方向にスライド可能なように収容したハウジングを含んでもよい。
【００３０】
さらに、前記接触部、前記押圧部、及び前記スライダーを収容したハウジングを含み、前記スライダーは前記ハウジングに回転可能に支持されてもよい。
【００３１】
さらに、前記接触部、前記押圧部、及び前記スライダーを収容したハウジングを含み、前記スライダーは前記ハウジングにスライド可能に支持されてもよい。
【００３２】
前記コンタクトは、さらに、基板に接続するための基板接続部と、前記押圧部及び前記基板接続部の間に介在した可撓性を有するつなぎ部と、前記基板接続部に固定的に接続され、前記スライダーを受けたスライダー受部とを有してもよい。
【００３３】
さらに、前記スライダーの移動をガイドするガイド機構を含んでもよい。
【発明の効果】
【００３４】
上述したように、スライダーがその移動に応じてコンタクトの押圧部を操作して接触部を変位させる構成の場合、ランプ管などの接続対象物の組込み性がよく、取替え作業を容易に行うことも可能となる。
【００３５】
また、つなぎ部によって基板接続部に対し接触部にフローティング性をもたせた構成の場合、接触を維持した状態での接続対象物のストレスを軽減することが可能となる。
【００３６】
したがって、バックライト組立時に発生するランプ管とコネクタとの実装ズレや、振動・衝撃の際に発生するランプ管リード線又はリード線封止部にかかるストレスを軽減し、ランプ管の破損若しくはランプ管寿命に影響を与えないバックライト組立体を提供することができる。
【発明を実施するための最良の形態】
【００３７】
以下、本発明の様々な実施例につき、図面を参照して説明する。
【００３８】
図１及び図２は本発明の第１の実施例に係る接続部材としてのランプ管用コネクタを示す。
【００３９】
このランプ管用コネクタは、対の突起即ち回転軸（一方のみ図示）１を有する絶縁性のスライダー２と、スライダー２に組み合わされた導電性のコンタクト３とを含んでいる。コンタクト３は、接続対象物としてのランプ管リード線４と接続する対の接触片又は接触部５、接触部５に接続された対の押圧部６、回転軸１を回転可能に受けた対の軸穴７を有する回転軸受部８、及び基板に接続するための端子部としての基板接続部９を有している。
【００４０】
回転軸受部８は少なくとも１つのコーナーをもつ多辺構造を有している。ここでは、回転軸受部８は２つのコーナー８ａ、８ｂを有している。回転軸受部８の少なくとも１辺、ここでは、２つのコーナー８ａ、８ｂの間の辺と基板接続部９との間に、可撓性をもつつなぎ部１０を有している。つなぎ部１０は、ここでは回転軸受部８の近傍でのみ少し幅広に作られている。なお、つなぎ部１０は、後で説明するフローティング機構として働く。
【００４１】
上述したランプ管用コネクタによると、スライダー２を回転軸１を中心に回転させることで、スライダー２の当接部１１がコンタクト３の押圧部６を押圧する。これにより接触部５をスライダー２の回転面に直交する方向に動かしてランプ管リード線４に接続させる。なお、スライダー２は金属でもよく、材質は問わない。
【００４２】
図３の作用説明図をも用いて、この点の説明を補足する。コンタクト３はスライダー２を移動可能に保持している。スライダー２が移動することにより、当接部１１がコンタクト３の押圧部６を押圧し、接触部５を変移させる。この結果、ランプ管リード線４とコンタクト３とが接続される。
【００４３】
図１及び図２に示すランプ管用コネクタは、コンタクト３の接触部５とスライダー２の回転軸１との構成において次に説明するように様々な変形が可能である。
【００４４】
図４においては、接触部５に隣接した位置の回転軸受部８に、全体的に狭くかつ一定の幅をもつつなぎ部１０を有している。図５においては、接触部５とつなぎ部１０との間に形成されている底板１７に対のガイド板１６を形成し、これらのガイド板１６に、回転軸を受ける軸穴７を設けている。図６においては、接触部５を挟んでつなぎ部１０とは逆位置に底板１７を設け、この底板１７に形成したガイド板１６に回転軸を受ける軸穴７を設けている。尚、本構成は、後述するスライド軸を有する場合も同様である。
【００４５】
図７は本発明の第２の実施例に係るランプ管用コネクタを示す。
【００４６】
このランプ管用コネクタにおいて、図１及び図２と同様な部分には同じ参照符号を付してある。即ち、図７のランプ管用コネクタも、スライダー２と、スライダー２に組み合わされたコンタクト３とを含んでいる。スライダー２はスライド軸１ａを有している。コンタクト３は、ランプ管リード線と接続する接触部５、スライダー２によって変移させられる押圧部６、及び基板接続部９（図１６及び図１７参照）を有している。接触部５とつなぎ部１０との間に形成された底板１７とこれに一体に形成された対のガイド板１６とからなる軸受部８１には、スライド軸１ａを受ける前後に長いスライド穴７ａが形成されている。スライド軸１ａがスライド穴７ａに挿入されることで、スライダー２は軸受部８１にスライド可能な状態で保持されている。このときスライド軸１ａとスライド穴７ａは、スライダー２を所定方向に例えば直線的又は曲線的にガイドするガイド機構としても働く。
【００４７】
スライダー２をスライド穴７ａに沿って前後に操作することで押圧部６を押圧し、これにより接触部５を左右方向に動かしてランプ管リード線に接続させる。
【００４８】
軸受部８１は少なくとも１つのコーナーをもつ多辺構造を有している。ここでは、軸受部８１は２つのコーナー８１ａ、８１ｂを有している。軸受部８１の少なくとも１辺、ここでは２つのコーナー８１ａ、８１ｂの間の辺、と接触部５との間に可撓性をもつつなぎ部１０を有している。
【００４９】
図８は、図７のランプ管用コネクタの変形例を示す。図８のランプ管用コネクタにおいては、スライド穴７ｂは上下に長くのびている。スライダー２をスライド穴７ｂに沿って上下に操作することで押圧部６を押圧し、これにより接触部５を左右方向に動かしてランプ管リード線に接続させる。
【００５０】
図９は、本発明の第３の実施例に係るランプ管用コネクタを示す。
【００５１】
図９においては、さらに、スライダー２及びコンタクト３をハウジング１２に組み込んでいる。ハウジング１２はコンタクト３の基板接続部９に圧入又は係止されることにより保持される。コンタクト３の接触片及びスライダー２は、コンタクト３の基板接続部９及びハウジング１２に対し、フローティング性を有する。
【００５２】
図１０を参照して、フローティング機構について説明する。
【００５３】
コンタクト３の接触部５、スライダー２の回転軸１またはスライド軸１ａと基板接続部９との間には可撓性を持つつなぎ部１０が接続されている。つなぎ部１０により、コンタクト３の接触部５及びスライダー２は、コンタクト３の基板接続部９に対し三次元的に自由に動き得るフローティング性を有している。
【００５４】
図１１はコンタクト３の変形例を示している。図１１のコンタクト３は、回転軸受部８と基板接続部９との間に、つなぎ部１０を一対備えている。
【００５５】
図１２から図１４は、本発明の第４の実施例に係るランプ管用コネクタを示す。
【００５６】
このランプ管用コネクタにおいても、上述と同様な部分には同じ参照符号を付してある。即ち、図１２から図１４に示すランプ管用コネクタも、軸穴となる凹部２ａを有するスライダー２と、ランプ管リード線と接続する接触部５、スライダー２によって接触部５を変移させる押圧部６、及び基板接続部９を有するコンタクト３と、凹部２ａに回転可能に嵌合する突起即ち回転軸１３を有するハウジング１２とを含んでいる。回転軸１３が凹部２ａに嵌合することで、ハウジング１２にスライダー２を回転可能に保持している。スライダー２を回転させることでコンタクト３の押圧部６を押圧し、これにより接触部５をスライダー回転面又はスライド移動軸に直交する方向に動かしてランプ管リード線に接続させる。なお、接触部５、押圧部６、スライダー２、及びハウジング１２は、つなぎ部１０により、基板接続部９に対しフローティング性がもたされている。
【００５７】
図１２のランプ管用コネクタにおいて、図１５のコンタクト３を使用してもよい。図１５のコンタクト３は、ハウジング１２に保持するための保持部１４が基板接続部９とは別に形成されている。この場合、ハウジング１２は保持部１４に設けられた突起１５が圧入ないし係止されることで保持される。
【００５８】
図１６は、本発明の第５の実施例に係るランプ管用コネクタを示す。
【００５９】
このランプ管用コネクタにおいても、同様な部分には同じ参照符号を付してある。図１６のランプ管用コネクタも、スライダー２と、スライダー２に組み合わされたコンタクト３と、これらを収容したハウジング１２とを含んでいる。スライダー２は、図７及び図８に符号１ａで示したスライド軸を有している。コンタクト３は、ランプ管リード線と接続する接触部５、スライダー２によって変移される押圧部６、及び基板接続部９を有している。ハウジング１２には、スライド軸を受ける前後に長いスライド穴１２ａが２つ形成されている。スライド軸がスライド穴１２ａに挿入されることで、スライダー２はハウジング１２にスライド可能な状態で保持されている。即ち、ハウジング１２の一部がスライド軸受部として働く。
【００６０】
スライダー２をスライド穴１２ａに沿って前後に操作することで押圧部６を押圧し、これにより接触部５を左右方向に動かしてランプ管リード線に接続させる。
【００６１】
図１７は、図１６のランプ管用コネクタの変形例を示す。図１７のランプ管用コネクタにおいては、ハウジング１２に、スライド軸を受ける上下に長くのびたスライド穴１２ｂが形成されている。スライダー２をスライド穴１２ｂに沿って上下に操作することで押圧部６を押圧し、これにより接触部５を左右方向に動かしてランプ管リード線に接続させる。
【００６２】
図１８は、フローティング機構を構成するつなぎ部１０の形状例を示している。このようにつなぎ部１０を蛇行形状に作ることにより、フローティング量を多くしたり、フローティング性を高めたりすることは好ましい。
【００６３】
上述したいずれの実施例においても、スライダー２がコンタクト３の押圧部６を押圧する前は、接触部５は自然な状態であり、ランプ管リード線４の外径よりも広い隙間を有している。したがって、ランプ管組込み時にはリード線を抵抗なく接触部５へ装着できるため、ランプ管の組込み性を簡易化する効果が得られる。また、スライダー２を解除することでランプ管リード部４への接触を比較的容易に解除できる為、ランプ管の取替え作業性も容易にする効果が得られる。ランプ管の組込み及び取替え時の組立工数の削減が可能となる。更に、スライダー２にて押圧部６が押圧され、接触部５がランプ管リード線４と接続されても、接触部５とスライダー２はコンタクト３の基板接続部９に対しフローティング機能を有するため、接触を維持した状態でのランプ管リード線４のストレスを軽減する効果が得られる。
【００６４】
図１から図１８までを参照して説明した各種のランプ管用コネクタはいずれも、スライダー２の当接部１１がコンタクト３の押圧部６を押圧することより、接触部５を動かしてランプ管リード線４に接続させるものである。
【００６５】
上記のように構成されたランプ管用コネクタでは、スライダー２がコンタクト３の押圧部６を押圧する前は、自然な状態で接触部５はランプ管リード線４の外径よりも広い隙間を有しているため、ランプ管リード線４を抵抗なく接触部５へ装着でき、したがってランプ管の組込み性がよい。
【００６６】
また、スライダー２による押圧部６の押圧を解除すると、接触部５はコンタクト３の弾性復元力により自然な状態に復元し、ランプ管リード線４との接触が解除される為、ランプ管の取替え作業を容易に行うことが可能となる。
【００６７】
更に、スライダー４にて押圧部６が押圧され接触部５がランプ管リード線４と接続されても、コンタクト３の接触部５は基板接続部９に対しフローティング機能を有するため、接触を維持した状態で、かつランプ管リード線４のストレスを軽減することが可能となる。
【００６８】
一方、図１９以降を用いて説明する各種のランプ管用コネクタのように、スライダー２の当接部１１がコンタクト３の押圧部６を押圧することより、接触部５をランプ管リード線４から離す方向に移動させるものとして実施することもできる。その場合にはコンタクト３の弾性復元力により接触部５がランプ管リード線４に圧接される。
【００６９】
図１９から図２１は、本発明の第６の実施例に係るランプ管用コネクタを示す。
【００７０】
このランプ管用コネクタにおいても、同様な部分には同じ参照符号を付してある。図１９から図２１のランプ管用コネクタも、スライダー２と、スライダー２を組み込んだコンタクト３とを含んでいる。コンタクト３は、接触部５及び押圧部６を間にして互いに対向した対のガイド板１６と、これらのガイド板１６間を結合した底板１７とを有している。底板１７はつなぎ部１０を介して基板接続部９に接続されている。
【００７１】
ガイド板１６はスライダー２の回転軸１ａを回転可能（又は回動可能）に支持している。スライダー２の回動は、ガイド板１６の円弧状のガイド溝１８にスライダー２のガイド突起１９が挿入されてなるガイド機構によりガイドされる。
【００７２】
図１９（ａ）及び図２０（ａ）に示すランプ管を接続する前の状態では、スライダー２がコンタクト３の押圧部６を押圧して接触部５を押し広げ、ランプ管リード線４の挿入を容易にしている。
【００７３】
図１９（ｂ）及び図２０（ｂ）に示すようにスライダー２を回転軸１ａを中心に回転させると、スライダー２がコンタクト３の押圧部６から離れ、コンタクト３の弾性復元力により接触部５がランプ管リード線４に圧接する。したがって、ランプ管リード線４がコンタクト３に接続される。
【００７４】
図２２は、図１９から図２１のランプ管用コネクタの変形例に使用されたコンタクトを示す。図示のように、つなぎ部１０は複数本備えられてもよい。
【００７５】
図２３は、図１９から図２１のランプ管用コネクタの他の変形例を示す。
【００７６】
図２３のランプ管用コネクタにおいても、同様な部分には同じ参照符号を付してある。このランプ管用コネクタは、スライダー２がコンタクト３の接触部をランプ管リード線から離す方向に移動させるものである点を除き、図７に示したランプ管用コネクタと実質的に同様な構成及び機能を有する。
【００７７】
図２４は、図１９から図２１のランプ管用コネクタのさらに他の変形例を示す。
【００７８】
図２４のランプ管用コネクタにおいても、同様な部分には同じ参照符号を付してある。このランプ管用コネクタは、スライダー２がコンタクト３の接触部をランプ管リード線から離す方向に移動させるものである点を除き、図８に示したランプ管用コネクタと実質的に同様な構成及び機能を有する。
【００７９】
図２５は、本発明の第７の実施例に係るランプ管用コネクタを示す。
【００８０】
このランプ管用コネクタにおいても、同様な部分には同じ参照符号を付してある。図２５のランプ管用コネクタも、スライダー２と、スライダー２を組み込んだコンタクト３とを含んでいる。コンタクト３の基板接続部９には、対の側板９ａが固定的に接続されている。これらの側板９ａの間にスライダー２が配置されている。スライダー２の回転軸１ａは側板９ａに回転可能に支持されている。スライダー２の回動は、コンタクト３の円弧状のガイド溝１８にスライダー２のガイド突起１９が挿入されてなるガイド機構によりガイドされる。なお、基板接続部９は底板１７につなぎ部１０を介して接続されている。
【００８１】
図２６及び図２７は、本発明の第８の実施例に係るランプ管用コネクタをランプ管とともに示す。
【００８２】
図２６及び図２７のランプ管用コネクタにおいても、同様な部分には同じ参照符号を付してある。このランプ管用コネクタにおいて、ハウジング１２はコンタクト３の基板接続部９に圧入又は係止されることにより保持されている。このランプ管用コネクタは、スライダー２がコンタクトの接触部をランプ管リード線４から離す方向に移動させるものである点を除き、図９に示したランプ管用コネクタと実質的に同様な構成及び機能を有する。
【００８３】
図２８及び図２９は、本発明の第９の実施例に係るランプ管用コネクタを示す。
【００８４】
図２８及び図２９のランプ管用コネクタにおいても、同様な部分には同じ参照符号を付してある。このランプ管用コネクタにおいて、ハウジング１２は保持溝１２ｃを有している。この保持溝１２ｃにコンタクト３の保持部１４を圧入ないし係止させることで、ハウジング１２はコンタクト３に保持されている。スライダー２は、その回転軸１ａをハウジング１２の回転受け部１２ｄに嵌合させることにより、ハウジング１２に回転軸１ａを支点として回転可能に支持されている。このランプ管用コネクタは、スライダー２がコンタクト３の接触部をランプ管リード線から離す方向に移動させるものである点を除き、図１３に示したランプ管用コネクタと実質的に同様な機能を有する。
【００８５】
図３０は、図２８及び図２９のランプ管用コネクタの変形例を示す。
【００８６】
図３０のランプ管用コネクタにおいても、同様な部分には同じ参照符号を付してある。このランプ管用コネクタは、スライダー２がコンタクト３の接触部をランプ管リード線から離す方向に移動させるものである点を除き、図１６に示したランプ管用コネクタと実質的に同様な構成及び機能を有する。
【００８７】
図３１は、図２８及び図２９のランプ管用コネクタの他の変形例を示す。
【００８８】
図３１のランプ管用コネクタにおいても、同様な部分には同じ参照符号を付してある。このランプ管用コネクタは、スライダー２がコンタクト３の接触部をランプ管リード線から離す方向に移動させるものである点を除き、図１７に示したランプ管用コネクタと実質的に同様な構成及び機能を有する。
【００８９】
上記のように構成されたランプ管用コネクタでは、接触部５は自然な状態でランプ管リード線４と十分な接触を確保できる設定となっており、スライダー２がコンタクト３の接触部５を押し広げることにより接触部５をランプ管リード線４の外径よりも広い隙間を形成するため、ランプ管組み込み時にはリード線４を抵抗なく接触部５に装着でき、したがってランプ管の組み込み性がよい。
【００９０】
またランプ管の交換時は、スライダー２を操作することによりコンタクト３の接触部５を再び広げるため、ランプ管リード部４との接触が解除され、ランプ管は抵抗なく取り外しができるので、ランプ管の取替え作業も比較的容易に行うことが可能となる。
【００９１】
さらに、リード線４との接触を維持した状態でコンタクト３の接触片５はコンタクト３の基板接続部９に対しフローティング機能を有するため、接触を維持した状態でリード線４のストレスを軽減することが可能となる。
【００９２】
上述した様々な実施例では、回転軸又はスライド軸として機能する軸穴７、２ａと回転軸１、１３又はスライド穴７ａ、７ｂ、１２ａ、１２ｂとスライド軸１ａを、ハウジング及びコンタクトのうちいずれか一方に設けたが、ハウジング及びコンタクトの両方に設けて、スライダーをコンタクトとハウジングの両方に回転又はスライド自在に保持されるようにしてもよい。
【００９３】
また、スライドの場合、コンタクト又はハウジングにスライド穴を、スライダーにスライド軸を設けた例を説明したが、それとは逆、即ち、コンタクト又はハウジングにスライド軸を、スライダーにスライド穴を設けてもよい。
【００９４】
なお、ランプ管に対し水平にスライドする構造や、ランプ管に対し垂直にスライドする構造などが可能である。また図示しない構成例として、ランプ管に対し斜め方向にスライドする構造、１方向にスライドした後、他の方向にスライドする多段スライド構造、スライドと回転を複合させた構造等も可能である。
【産業上の利用可能性】
【００９５】
上述したランプ管用コネクタは、大型液晶のバックライトモジュールにおける冷陰極管等の蛍光ランプ管を用いた直下型ランプソケットとして適用できる。
【図面の簡単な説明】
【００９６】
【図１】本発明の第１の実施例に係るランプ管用コネクタの斜視図で、リード線の接続前の状態の図である。
【図２】図１のランプ管用コネクタの分解図であり、（ａ）はスライダーの斜視図、（ｂ）はコンタクトの要部の斜視図である。
【図３】図１のランプ管用コネクタの作用説明図である。
【図４】コンタクトの一変形例を示す斜視図である。
【図５】コンタクトの他の変形例を示す斜視図である。
【図６】コンタクトのさらに他の変形例を示す斜視図である。
【図７】本発明の第２の実施例に係るランプ管用コネクタの斜視図で、接続前の状態の図である。
【図８】図７のランプ管用コネクタの変形例を示す斜視図で、接続前の状態の図である。
【図９】本発明の第３の実施例に係るランプ管用コネクタを示し、（ａ）は一方向からの斜視図、（ｂ）は反対方向からの斜視図である。
【図１０】フローティング機構の説明図である。
【図１１】コンタクトの変形例を示す斜視図である。
【図１２】本発明の第４の実施例に係るランプ管用コネクタの斜視図である。
【図１３】図１２のランプ管用コネクタの分解斜視図である。
【図１４】図１２のランプ管用コネクタのハウジングの斜視図である。
【図１５】コンタクトの変形例を示す斜視図である。
【図１６】本発明の第５の実施例に係るランプ管用コネクタの斜視図である。
【図１７】図１６のランプ管用コネクタの変形例を示す斜視図である。
【図１８】フローティング機構の形状例を示す側面図である。
【図１９】本発明の第６の実施例に係るランプ管用コネクタをランプ管とともに示す斜視図であり、（ａ）はランプ管を接続する前の状態を示し、（ｂ）はランプ管を接続した状態を示す。
【図２０】図１９のランプ管用コネクタの平面図であり、（ａ）はランプ管を接続する前の状態を示し、（ｂ）はランプ管を接続した状態を示す。
【図２１】図１９のランプ管用コネクタの側面図である。
【図２２】図１９のランプ管用コネクタの変形例に使用されたコンタクトの斜視図である。
【図２３】図１９のランプ管用コネクタの他の変形例の斜視図で、接続前の状態の図である。
【図２４】図１９のランプ管用コネクタのさらに他の変形例の斜視図で、接続前の状態の図である。
【図２５】本発明の第７の実施例に係るランプ管用コネクタの斜視図である。
【図２６】本発明の第８の実施例に係るランプ管用コネクタをランプ管とともに示す斜視図である。
【図２７】図２６のランプ管用コネクタの背面図である。
【図２８】本発明の第９の実施例に係るランプ管用コネクタの斜視図で、接続状態を示す図である。
【図２９】図２８のランプ管用コネクタの分解斜視図である。
【図３０】図２８のランプ管用コネクタの変形例の斜視図である。
【図３１】図２８のランプ管用コネクタの他の変形例の斜視図である。
【符号の説明】
【００９７】
１  回転軸
１ａ  スライド軸
２  スライダー
２ａ  凹部
３  コンタクト
４  ランプ管リード線
５  接触部
６  押圧部
７  軸穴
７ａ、７ｂ  スライド穴
８  回転軸受部
９  基板接続部
９ａ  側板
１０  つなぎ部
１１  当接部
１２  ハウジング
１２ａ、１２ｂ  スライド穴
１２ｃ  保持溝
１２ｄ  回転受け部
１３  回転軸
１４  保持部
１５  突起
１６  ガイド板
１７  底板
１８  ガイド溝
１９  ガイド突起
８１ａ、８１ｂ  コーナー
【図１】
2008034330.tif 000003
【図２】
2008034330.tif 000004
【図３】
2008034330.tif 000005
【図４】
2008034330.tif 000006
【図５】
2008034330.tif 000007
【図６】
2008034330.tif 000008
【図７】
2008034330.tif 000009
【図８】
2008034330.tif 000010
【図９】
2008034330.tif 000011
【図１０】
2008034330.tif 000012
【図１１】
2008034330.tif 000013
【図１２】
2008034330.tif 000014
【図１３】
2008034330.tif 000015
【図１４】
2008034330.tif 000016
【図１５】
2008034330.tif 000017
【図１６】
2008034330.tif 000018
【図１７】
2008034330.tif 000019
【図１８】
2008034330.tif 000020
【図１９】
2008034330.tif 000021
【図２０】
2008034330.tif 000022
【図２１】
2008034330.tif 000023
【図２２】
2008034330.tif 000024
【図２３】
2008034330.tif 000025
【図２４】
2008034330.tif 000026
【図２５】
2008034330.tif 000027
【図２６】
2008034330.tif 000028
【図２７】
2008034330.tif 000029
【図２８】
2008034330.tif 000030
【図２９】
2008034330.tif 000031
【図３０】
2008034330.tif 000032
【図３１】
2008034330.tif 000033